(57)【要約】【課題】  水受け部の排水口と貯水タンクとを接続する排水路内における水と空気との行き来をスムーズにすることが可能なバキュームブレーカを提供することを目的とする。【解決手段】  本発明は、入水口及び出水口、それらを連通させる水流路、並びに、この水流路と外部とを連通させる大気導入口を有する本体部と、この本体部内に配置され、通水時においては前記入水口と前記出水口とを連通させ、非通水時においては前記水流路と前記大気導入口とを連通させる弁体と、前記大気導入口から溢れ出た水を受ける水受け部と、この水受け部の底面に開口され、水を排水する排水路が接続される排水口と、この排水口の下流における水の流れを螺旋流とする螺旋流発生手段と、を備えるバキュームブレーカである。【選択図】図３
2014190489.tif 000002
【特許請求の範囲】
【請求項１】
入水口及び出水口、それらを連通させる水流路、並びに、この水流路と外部とを連通させる大気導入口を有する本体部と、
この本体部内に配置され、通水時においては前記入水口と前記出水口とを連通させ、非通水時においては前記水流路と前記大気導入口とを連通させる弁体と、
前記大気導入口から溢れ出た水を受ける水受け部と、
この水受け部の底面に開口され、水を排水する排水路が接続される排水口と、
この排水口の下流における水の流れを螺旋流とする螺旋流発生手段と、を備えるバキュームブレーカ。
【請求項２】
前記螺旋流発生手段は、前記水受け部に立設され前記排水口を取り囲む円筒壁であり、
この円筒壁には、前記円筒壁内の接線方向に向けて水を導入する導入口部が設けられている請求項１に記載のバキュームブレーカ。
【請求項３】
前記水受け部の底面は、前記排水口へ向けて傾斜している請求項１または２に記載のバキュームブレーカ。
【請求項４】
前記請求項１〜３のいずれか一項に記載のバキュームブレーカを備える水洗大便器。
【発明の詳細な説明】
【技術分野】
【０００１】
本発明は、逆流を防止するために設けられるバキュームブレーカ及びそれを備える水洗大便器に関する。
【背景技術】
【０００２】
従来、リム吐水口及びジェット吐水口が形成されたボウル部を備え、リム吐水口には洗浄水を水道から直接供給し、ジェット吐水口には貯水タンク内に貯水された洗浄水を加圧して供給するようにした水洗大便器が知られている（例えば、特許文献１参照。）。これらの水洗大便器には、断水等によって水流路内に負圧が生じた場合に上流側へと洗浄水が逆流することを防ぐため、バキュームブレーカが設けられている。
【０００３】
この種のバキュームブレーカは、非通水時に水流路を大気に開放するための大気導入口と、便器洗浄等により大気導入口から溢れた洗浄水を受ける水受け部とを備え、溢れた洗浄水水受け部から貯水タンク内へと排水路により排水する。
【先行技術文献】
【特許文献】
【０００４】
【特許文献１】特開２０１０−１５６２０１号公報
【発明の概要】
【発明が解決しようとする課題】
【０００５】
上述した従来のバキュームブレーカにおいては、貯水タンクは密閉されているため、貯水タンク内へ洗浄水を貯水した場合や、貯水タンク内へ排水路により排水した場合、貯水タンク内の空気が排水路を介して水受け部へと流れ込む。そのため、大気導入口からの排水が増加した場合、排水路内における排水と空気の行き来がスムーズに行われず、排水路内の排水が空気に押し出されて水受け部側へ噴出してしまう可能性があった。通常、水受け部は蓋部が上側を覆っているため、水が水受け部の外や水洗大便器の外へと飛散することはないが、万が一、水受け部の外や水洗大便器の外へと水が飛散した場合、漏水が生じてしまうという懸念があった。
【０００６】
排水路内における水と空気との行き来をスムーズにするため、排水路内に排水路よりも小径の排気管を設けることが考えられるが、部品点数の増加及びそれに伴うコストの増加が生じてしまう問題あった。また、排水による水圧により生じる繰り返し応力による排気管の劣化や破損が生じてしまった場合、水と空気との行き来がスムーズに行われないという懸念があった。
【０００７】
本発明は、上述した問題を解決するためになされたものであり、水受け部の排水口と貯水タンクとを接続する排水路内における水と空気との行き来をスムーズにすることが可能なバキュームブレーカを提供することを目的とする。
【課題を解決するための手段】
【０００８】
本発明は、入水口及び出水口、それらを連通させる水流路、並びに、この水流路と外部とを連通させる大気導入口を有する本体部と、この本体部内に配置され、通水時においては前記入水口と前記出水口とを連通させ、非通水時においては前記水流路と前記大気導入口とを連通させる弁体と、前記大気導入口から溢れ出た水を受ける水受け部と、この水受け部の底面に開口され、水を排水する排水路が接続される排水口と、この排水口の下流における水の流れを螺旋流とする螺旋流発生手段と、を備えるバキュームブレーカである。
【０００９】
このように構成された本発明においては、排水路内の水の流れが螺旋流となり、その中心に空気の通り道を形成することができる。従って、水受け部へ空気が排気されるとともに、水受け部から水が排水されたとしても、水と空気とがぶつかり合うことが抑制され、スムーズに排水路内を行き来することができる。
【００１０】
本発明は、さらに、前記螺旋流発生手段は、前記水受け部に立設され前記排水口を取り囲む円筒壁であり、この円筒壁には、前記円筒壁内の接線方向に向けて水を導入する導入口部が設けられている構成としてもよい。
【００１１】
このように構成された本発明においては、円筒壁を設けるという簡易な構成にて排水路内の水の流れを螺旋流とすることができる。
【００１２】
本発明は、さらに、前記水受け部の底面は、前記排水口へ向けて傾斜している構成としてもよい。
【００１３】
このように構成された本発明においては、より確実に排水口へ向けて水を集め、螺旋流とすることができる。
【００１４】
本発明は、また、前記バキュームブレーカを備える水洗大便器である。
【００１５】
このように構成された本発明においては、バキュームブレーカは、水と空気とがぶつかり合うことが抑制され、スムーズに排水路内を行き来することができる。
【発明の効果】
【００１６】
本発明のバキュームブレーカによれば、水受け部の排水口と貯水タンクとを接続する排水路内における水と空気との行き来をスムーズにすることが可能となる。
【図面の簡単な説明】
【００１７】
【図１】本発明の一実施形態に係る水洗大便器を概略的に示す構成図。
【図２】本発明の一実施形態に係る水洗大便器のバルブユニットにおけるバキュームブレーカを示す部分断面図。
【図３】本発明の一実施形態に係る水洗大便器のバルブユニットの蓋部を外した状態を示す上面図。
【図４】図２のＢ−Ｂ断面図。
【発明を実施するための形態】
【００１８】
以下、図面を参照して本発明の一実施形態に係る水洗大便器について説明する。
まず、図１により本発明の一実施形態に係る水洗大便器の構造を説明する。図１は本発明の一実施形態に係る水洗大便器を概略的に示す構成図である。
【００１９】
図１に示すように、本発明の一実施形態に係る水洗大便器１００は、トイレ室の床面（図示せず）に載置される便器本体２００と、この便器本体２００の後方に配置されパネル（図示せず）により覆われる機能部３００とを備える。
【００２０】
便器本体２００は、汚物を受けるボウル部２１０と、このボウル部２１０の底部から後方へ延びる排水トラップ管路２２０とを有する。ボウル部２１０にはリム吐水を行うリム吐水口２１２及びジェット吐水を行うジェット吐水口２１４が形成されている。リム吐水口２１２は、ボウル部２１０の左側上部後方に形成され、ボウル部２１０の上縁に沿って洗浄水を吐出する。ジェット吐水口２１４は、ボウル部２１０の底部に形成され、排水トラップ管路２２０に向けて洗浄水を吐出する。排水トラップ管路２２０は、封水を形成するとともに、下水配管（図示せず）と連通している。
【００２１】
機能部３００は、リム吐水及びジェット吐水を行うために制御部（図示せず）によって制御されるバルブユニット６００と、このバルブユニット６００の下流に設けられ洗浄水が貯水される貯水タンク８００と、この貯水タンク８００内の下流に設けられ洗浄水を加圧する加圧ポンプ９００が設けられている。
【００２２】
バルブユニット６００の上流側には、給水源（図示せず）からの洗浄水を供給する給水路３２０が接続される。バルブユニット６００の下流側には、リム吐水口２１２に洗浄水を供給するためのリム側給水路３４０、及び、貯水タンク８００に洗浄水を供給するためのタンク側給水路３６０が接続されている。また、バルブユニット６００は、定流量弁６２０と、この定流量弁６２０下流に設けられるダイヤフラム式の主弁６４０と、この主弁６４０下流に設けられる給水路切替弁６６０と、この給水路切替弁６６０下流に設けられるバキュームブレーカ６８０とを有する。
【００２３】
定流量弁６２０は、給水路３２０から定流量弁６２０に流れ込んで下流側へ向かう洗浄水の流量を一定にする。主弁６４０は、その開閉により、リム吐水口２１２及びジェット吐水口２１４における洗浄水の吐水と止水とを切替える。給水路切替弁６６０は、リム側給水路３４０またはタンク側給水路３６０へ向けて洗浄水を供給する。また、給水路切替弁６６０は、リム側給水路３４０及びタンク側給水路３６０にともに同じタイミングにて洗浄水を供給可能であって、リム側給水路３４０及びタンク側給水路３６０へ供給する洗浄水の量の割合を任意に変更できる。バキュームブレーカ６８０は、詳細は後述するが、上流側への洗浄水の逆流を防止する。
【００２４】
貯水タンク８００の下部には、ポンプ側給水路３７０が接続されており、このポンプ側給水路３７０の下流端には加圧ポンプ９００が接続されている。さらに、加圧ポンプ９００とジェット吐水口２１４はジェット側給水路３８０により接続されており、加圧ポンプ９００が、貯水タンク８００に貯水された洗浄水を加圧してジェット吐水口２１４まで供給するようになっている。
【００２５】
次に、図１〜図４を参照して本発明の一実施形態に係る水洗大便器のバキュームブレーカについて説明する。図２は本発明の一実施形態に係る水洗大便器のバルブユニットにおけるバキュームブレーカを示す部分断面図であり、図３は本発明の一実施形態に係る水洗大便器のバルブユニットを示す上面図であり、図４は図２のＢ−Ｂ断面図である。なお、図３においては、大気導入口からの溢れ水の流れＦ２を矢印で示している。
【００２６】
図２に示すように、バキュームブレーカ６８０は、給水路切替弁６６０の下流に設けられリム側給水路３４０へ通ずるリム側入水口６８１ａと、このリム側入水口６８１ａを開閉するリム側弁体６８２ａと、このリム側弁体６８２ａを通過した洗浄水が流入するリム側水流路６８３ａと、このリム側水流路６８３ａを通過した洗浄水をリム側給水路３４０へ流出させるリム側出水口６８４ａとを有する。さらに、リム側弁体６８２ａの上方には円筒状のリム側大気導入口６８５ａが形成されている。また、リム側大気導入口６８５ａの周囲にはリム側大気導入口６８５ａを取り囲むように水受け部６８６が形成され、リム側大気導入口６８５ａの上方にはリム側大気導入口６８５ａを覆う蓋部６８８が設けられている。これらのリム側入水口６８１ａ、リム側水流路６８３ａ、リム側出水口６８４ａ、リム側大気導入口６８５ａを構成している部材は、バキュームブレーカの本体部を構成する。
【００２７】
同様に、バキュームブレーカ６８０は、給水路切替弁６６０の下流に設けられタンク側給水路３６０へ通ずるタンク側入水口６８１ｂと、このタンク側入水口６８１ｂを開閉するタンク側弁体６８２ｂと、このタンク側弁体６８２ｂを通過した洗浄水が流入するタンク側水流路６８３ｂと、このタンク側水流路６８３ｂを通過した洗浄水をタンク側給水路３６０へ流出させるタンク側出水口６８４ｂとを有する。さらに、タンク側弁体６８２ｂの上方には円筒状のタンク側大気導入口６８５ｂが形成されている。また、水受け部６８６は、タンク側大気導入口６８５ｂの周囲を取り囲んでおり、蓋部６８８は、タンク側大気導入口６８５ｂを上方から覆っている。これらのタンク側入水口６８１ｂ、タンク側水流路６８３ｂ、タンク側出水口６８４ｂ、タンク側大気導入口６８５ｂを構成している部材は、バキュームブレーカの本体部を構成する。
【００２８】
リム側弁体６８２ａは、直動式の弁体である。非通水時においては、リム側弁体６８２ａは、その自重により、リム側入水口６８１ａに形成されたシート面にそれぞれ着座して、リム側入水口６８１ａを閉鎖している。この際、リム側水流路６８３ａとリム側大気導入口６８５ａは連通されている。また、通水時においては、リム側弁体６８２ａは、流入する洗浄水の水勢により上方に押し上げられ、リム側大気導入口６８５ａの下端に形成されているシート面に着座して、リム側大気導入口６８５ａが閉鎖される。この際、リム側入水口６８１ａとリム側出水口６８４ａは連通される。
【００２９】
同様に、タンク側弁体６８２ｂは、直動式の弁体である。非通水時においては、タンク側弁体６８２ｂは、その自重により、タンク側入水口６８１ｂに形成されたシート面にそれぞれ着座して、タンク側入水口６８１ｂを閉鎖している。この際、タンク側水流路６８３ｂとタンク側大気導入口６８５ｂは連通されている。また、通水時においては、タンク側弁体６８２ｂは、流入する洗浄水の水勢により上方に押し上げられ、タンク側大気導入口６８５ｂの下端に形成されているシート面に着座して、タンク側大気導入口６８５ｂが閉鎖される。この際、タンク側入水口６８１ｂとタンク側出水口６８４ｂは連通される。
【００３０】
図３及び図４に示すように、水受け部６８６はリム側大気導入口６８５ａ及びタンク側大気導入口６８５ｂの出口部分を取り囲むように形成され、上面が開放された箱状の水槽である。この水受け部６８６、リム側弁体６８２ａやタンク側弁体６８２ｂが、リム側大気導入口６８５ａ及びタンク側大気導入口６８５ｂを閉鎖する際等に、リム側大気導入口６８５ａ及びタンク側大気導入口６８５ｂから溢れ出た洗浄水を受け入れるように構成されている。また、リム側大気導入口６８５ａ及びタンク側大気導入口６８５ｂの上方には、蓋部６８８が配置されており、リム側大気導入口６８５ａ及びタンク側大気導入口６８５ｂから溢れ出た洗浄水が、水受け部６８６の外へ飛散しないようにカバーしている。
【００３１】
また、図１、図３及び図４に示すように、水受け部６８６の底面には、排水口６８６ａが開口され、この排水口６８６ａと貯水タンク８００とが排水路３９０により接続されている。これにより、リム側大気導入口６８５ａ及びタンク側大気導入口６８５ｂから溢れ出た洗浄水は、水受け部６８６に入り、排水口６８６ａから排水路３９０を通って貯水タンク８００へと排水される。また、水受け部６８６の対面は、排水口６８６ａに向けて段階的に傾斜いている。
【００３２】
さらに、水受け部６８６には排水口６８６ａを取り囲む円筒壁６８６ｂが立設されており、この円筒壁６８６ｂは、排水口６８６ａ下流、即ち、排水路３９０内の洗浄水を螺旋流とする螺旋流発生手段である。この円筒壁６８６ｂは側面から開口されており、この開口から水受け部６８６内壁に向けて、導入口部６８６ｃが延設されている。この導入口部６８６ｃは、円筒壁６８６ｂ内の接線方向に向けて洗浄水を導入する。
【００３３】
次に、本発明の一実施形態である水洗大便器１００のバキュームブレーカ６８０の水受け部６８６における排水について説明する。
水受け部６８６、リム側弁体６８２ａやタンク側弁体６８２ｂが、リム側大気導入口６８５ａ及びタンク側大気導入口６８５ｂを閉鎖する際等に、リム側大気導入口６８５ａ及びタンク側大気導入口６８５ｂから溢れ出た洗浄水は、水受け部６８６に受け入れられる。水受け部６８６に受け入れられた洗浄水は、水受け部６８６底面に形成された段階的な傾斜により、排水口６８６ａを取り囲む円筒壁６８６ｂの導入口部６８６ｃへ向けて流れ込む（図３における流れＦ２）。
【００３４】
導入口部６８６ｃへ流れ込んだ洗浄水は、導入口部６８６ｃにより、円筒壁６８６ｂ内の接線方向に向けて導入され、円筒壁６８６ｂの内周に沿って流れることで旋回し、円筒壁６８６ｂ内には旋回流が形成される。この旋回流は円筒壁６８６ｂに取り囲まれる排水口６８６ａへ向かっていくため、排水口６８６ａを経て排水路３９０内へ流れ込むことで、排水路３９０内にて洗浄水は螺旋流となる。螺旋流となった洗浄水は排水路３９０を介して貯水タンク８００内へと流れ込む。この際、貯水タンク８００内へ流れ込んだ洗浄水により追い出され、排水路３９０内の螺旋流の中心を通って、貯水タンク８００内の空気が水受け部６８６側へと流れ込む。
【００３５】
また、タンク側給水路３６０から貯水タンク８００内へ洗浄水を貯水する際も、貯水タンク８００内へ流れ込んだ洗浄水により追い出され、排水路３９０を通って、貯水タンク８００内の空気が水受け部６８６側へと流れ込む。
【００３６】
上述した本発明の一実施形態による水洗大便器１００のバキュームブレーカ６８０によれば、水受け部６８６の円筒壁６８６ｂにより排水路３９０内の洗浄水の流れが螺旋流となり、その中心に空気の通り道を形成することができる。そのため、水受け部６８６へ空気が排気されるとともに、水受け部６８６から洗浄水が排水されたとしても、洗浄水と空気とがぶつかり合うことが抑制され、スムーズに排水路３９０内を行き来することができる。
【００３７】
さらに、上述した本発明の一実施形態による水洗大便器１００のバキュームブレーカ６８０によれば、水受け部６８６に円筒壁６８６ｂを立設するという簡易な構成にて排水路３９０内の洗浄水の流れを螺旋流とすることができる。そのため、排水路３９０から流れ込んだ洗浄水により貯水タンク内から追い出される空気を排気するための排気管を新たに設ける必要がなく、部品点数の増加やそれに伴うコストの増加が抑制される。
【００３８】
また、上述した本発明の一実施形態による水洗大便器１００のバキュームブレーカ６８０によれば、水受け部６８６の底面が排水口６８６ａへ向けて段階的に傾斜しているため、より確実に導入口部６８６ｃへリム側大気導入口６８５ａ及びタンク側大気導入口６８５ｂから溢れた洗浄水を集めることができる。
【符号の説明】
【００３９】
１００…水洗大便器
２００…便器本体
２１０…ボウル部
２１２…リム吐水口
２１４…ジェット吐水口
２２０…排水トラップ管路
３００…機能部
３２０…給水路
３４０…リム側給水路
３６０…タンク側給水路
３７０…ポンプ側給水路
３８０…ジェット側給水路
３９０…排水路
６００…バルブユニット
６２０…定流量弁
６４０…主弁
６６０…給水路切替弁
６８０…バキュームブレーカ
６８１ａ…リム側入水口
６８１ｂ…タンク側入水口
６８２ａ…リム側弁体
６８２ｂ…タンク側弁体
６８３ａ…リム側水流路
６８３ｂ…タンク側水流路
６８４ａ…リム側出水口
６８４ｂ…タンク側出水口
６８５ａ…リム側大気導入口
６８５ｂ…タンク側大気導入口
６８６…水受け部
６８６ａ…排水口
６８６ｂ…円筒壁（螺旋流発生手段）
６８６ｃ…導入口部
６８８…蓋部
８００…貯水タンク
９００…加圧ポンプ
【図１】
2014190489.tif 000003
【図２】
2014190489.tif 000004
【図３】
2014190489.tif 000005
【図４】
2014190489.tif 000006